(57)【要約】      （修正有）【課題】精査処理を途中で停止させることができる、操作者にとっての利便性を向上させることができる貨幣処理機および貨幣処理方法を提供する。【解決手段】貨幣処理機は、収納部（例えば、一括紙幣収納庫や各金種別紙幣収納庫）に収納された貨幣（例えば、紙幣）について精査処理を行う制御部と、精査処理の停止指令を受け付ける停止指令受付手段と、を備えている。制御部は、精査処理が行われている間に、停止指令受付手段により精査処理の停止指令が受け付けられたときに、収納部から搬送部への貨幣の繰り出しを停止するとともに搬送部により搬送されている貨幣を当該貨幣が繰り出された収納部または別の収納部に送るような停止処理を行う。【選択図】図３
2018120601.tif 000002
【特許請求の範囲】
【請求項１】
機体内で貨幣を搬送する搬送部と、
前記搬送部に接続され、当該搬送部から送られた貨幣を収納するとともに収納された貨幣を前記搬送部に繰り出し可能な収納部と、
前記搬送部に設けられ、当該搬送部により搬送される貨幣の識別を行う識別部と、
前記収納部に収納された貨幣について、前記収納部から前記搬送部に繰り出して当該搬送部により搬送される間に前記識別部により識別および計数を行い、識別および計数が行われた貨幣を当該貨幣が繰り出された前記収納部に戻すような精査処理を行う制御部と、
前記精査処理の停止指令を受け付ける停止指令受付手段と、
を備え、
前記制御部は、前記精査処理が行われている間に、前記停止指令受付手段により前記精査処理の停止指令が受け付けられたときに、前記収納部から前記搬送部への貨幣の繰り出しを停止するとともに前記搬送部により搬送されている貨幣を当該貨幣が繰り出された前記収納部または別の収納部に送るような停止処理を行うことができるようになっている、貨幣処理機。
【請求項２】
前記制御部は、前記停止処理を行う際に、前記搬送部により搬送されている貨幣を当該貨幣が繰り出された前記収納部に戻すよう前記搬送部の制御を行うとともに前記精査処理が行われている間における前記識別部による貨幣の計数結果を破棄する、請求項１記載の貨幣処理機。
【請求項３】
前記制御部は、前記停止処理を行う際に、前記精査処理を途中から再開することができるよう、前記精査処理が行われている間における前記識別部による貨幣の計数結果を維持する、請求項１記載の貨幣処理機。
【請求項４】
前記搬送部に接続され、前記精査処理が行われる間に前記収納部から前記搬送部に繰り出された貨幣が送られるとともにこの送られた貨幣を前記搬送部に繰り出し可能な精査用収納部を更に備え、
前記制御部は、前記停止処理を行う際に、前記搬送部により搬送されている貨幣を前記精査用収納部に送るよう前記搬送部の制御を行う、請求項３記載の貨幣処理機。
【請求項５】
前記停止指令受付手段により前記精査処理の停止指令が受け付けられたときに前記停止処理を行うか否かを操作者に確認するための停止確認画面を表示する表示部を更に備え、
前記制御部は、前記表示部に前記停止確認画面が表示されている際に前記停止処理を行うことの確認指令が与えられたときに前記停止処理を行う、請求項１〜４のいずれか一項に記載の貨幣処理機。
【請求項６】
前記貨幣は、バラ硬貨、バラ紙幣、包装硬貨、帯封紙幣からなる群のうち少なくとも２つの種類のものを含み、貨幣の複数の種類に対応して、前記精査処理を含む様々な処理を行う貨幣処理装置が複数設けられており、
前記制御部は、貨幣の複数の種類に対応する各前記貨幣処理装置で前記精査処理を同時に行うとともに、前記停止指令受付手段により前記精査処理の停止指令が受け付けられたときに、選択された貨幣の種類に対応する前記貨幣処理装置のみで前記停止処理を行うか、または全ての前記貨幣処理装置で前記停止処理を行うことができるようになっている、請求項１乃至５のいずれか一項に記載の貨幣処理機。
【請求項７】
前記停止指令受付手段により前記精査処理の停止指令が受け付けられたときに、選択された貨幣の種類に対応する前記貨幣処理装置のみで前記停止処理を行うか、または全ての前記貨幣処理装置で前記停止処理を行うかの設定を行う設定部を更に備えた、請求項６記載の貨幣処理機。
【請求項８】
機体内で貨幣を搬送する搬送部と、前記搬送部に接続され、当該搬送部から送られた貨幣を収納するとともに収納された貨幣を前記搬送部に繰り出し可能な収納部と、前記搬送部に設けられ、当該搬送部により搬送される貨幣の識別を行う識別部とを備えた貨幣処理機による貨幣処理方法であって、
前記収納部に収納された貨幣について、前記収納部から前記搬送部に繰り出して当該搬送部により搬送される間に前記識別部により識別および計数を行い、識別および計数が行われた貨幣を当該貨幣が繰り出された前記収納部に戻すような精査処理を行う工程と、
前記精査処理が行われている間に、当該精査処理の停止指令が受け付けられたときに、前記収納部から前記搬送部への貨幣の繰り出しを停止するとともに前記搬送部により搬送されている貨幣を当該貨幣が繰り出された前記収納部または別の収納部に送るような停止処理を行う工程と、
を備えた貨幣処理方法。
【発明の詳細な説明】
【技術分野】
【０００１】
本発明は、機体内にある収納部に収納された紙幣や硬貨等の貨幣について識別部により識別および計数を行うことによりその在高を確認する精査処理を行う貨幣処理機および貨幣処理方法に関する。
【背景技術】
【０００２】
銀行等の金融機関に設置され、紙幣や硬貨等の貨幣の入出金処理を行う出納機等の貨幣処理機において、機体内にある収納部に収納された紙幣や硬貨等の貨幣について識別部により識別および計数を行うことによりその在高を確認する精査処理を行い、このような精査処理により確認された機体内の貨幣の実際の在高と、貨幣処理機に設けられたメモリ等の記憶部に記憶されている在高データとを照合することにより、貨幣処理機で違算が発生している否かの判断が行われるようになっている（例えば、特許文献１、２等参照）。精査処理の種類としては、金融機関や店舗等の営業時間外の予め設定された時刻になると自動的に行われるようなものや、操作者が貨幣処理機に精査処理開始の指令を与えることにより行われるようなものがある。
【先行技術文献】
【特許文献】
【０００３】
【特許文献１】特許第４０５０８７９号
【特許文献２】特開２００３−１４１５９９号公報
【発明の概要】
【発明が解決しようとする課題】
【０００４】
しかしながら、従来の貨幣処理機では、精査処理に時間がかかってしまうのにもかかわらず（例えば２０分以上）当該精査処理を途中で停止させることができなかったため、精査処理の途中で入金処理や出金処理等の別の処理を行いたい場合や、精査処理を行う必要がないのに操作者が誤って精査処理開始の指令を貨幣処理機に与えてしまった場合には、貨幣の精査処理が終了するまで貨幣処理機で別の処理を行うことができず操作者を待たせてしまい不便であるという問題があった。
【０００５】
本発明は、このような点を考慮してなされたものであり、精査処理を途中で停止させることができるようになり操作者にとっての利便性を向上させることができる貨幣処理機および貨幣処理方法を提供することを目的とする。
【課題を解決するための手段】
【０００６】
本発明の貨幣処理機は、機体内で貨幣を搬送する搬送部と、前記搬送部に接続され、当該搬送部から送られた貨幣を収納するとともに収納された貨幣を前記搬送部に繰り出し可能な収納部と、前記搬送部に設けられ、当該搬送部により搬送される貨幣の識別を行う識別部と、前記収納部に収納された貨幣について、前記収納部から前記搬送部に繰り出して当該搬送部により搬送される間に前記識別部により識別および計数を行い、識別および計数が行われた貨幣を当該貨幣が繰り出された前記収納部に戻すような精査処理を行う制御部と、前記精査処理の停止指令を受け付ける停止指令受付手段と、を備え、前記制御部は、前記精査処理が行われている間に、前記停止指令受付手段により前記精査処理の停止指令が受け付けられたときに、前記収納部から前記搬送部への貨幣の繰り出しを停止するとともに前記搬送部により搬送されている貨幣を当該貨幣が繰り出された前記収納部または別の収納部に送るような停止処理を行うことができるようになっていることを特徴とする。
【０００７】
このような貨幣処理機によれば、精査処理が行われている間に、当該精査処理の停止指令が受け付けられたときに、収納部から搬送部への貨幣の繰り出しを停止するとともに搬送部により搬送されている貨幣を当該貨幣が繰り出された収納部または別の収納部に送るような停止処理を行うことにより、精査処理を途中で停止させることができるようになり操作者にとっての利便性を向上させることができる。
【０００８】
本発明の貨幣処理機においては、前記制御部は、前記停止処理を行う際に、前記搬送部により搬送されている貨幣を当該貨幣が繰り出された前記収納部に戻すよう前記搬送部の制御を行うとともに前記精査処理が行われている間における前記識別部による貨幣の計数結果を破棄するようになっていてもよい。
【０００９】
あるいは、前記制御部は、前記停止処理を行う際に、前記精査処理を途中から再開することができるよう、前記精査処理が行われている間における前記識別部による貨幣の計数結果を維持するようになっていてもよい。
【００１０】
この場合、本発明の貨幣処理機は、前記搬送部に接続され、前記精査処理が行われる間に前記収納部から前記搬送部に繰り出された貨幣が送られるとともにこの送られた貨幣を前記搬送部に繰り出し可能な精査用収納部を更に備え、前記制御部は、前記停止処理を行う際に、前記搬送部により搬送されている貨幣を前記精査用収納部に送るよう前記搬送部の制御を行うようになっていてもよい。
【００１１】
本発明の貨幣処理機は、前記停止指令受付手段により前記精査処理の停止指令が受け付けられたときに前記停止処理を行うか否かを操作者に確認するための停止確認画面を表示する表示部を更に備え、前記制御部は、前記表示部に前記停止確認画面が表示されている際に前記停止処理を行うことの確認指令が与えられたときに前記停止処理を行うようになっていてもよい。
【００１２】
本発明の貨幣処理機においては、前記貨幣は、バラ硬貨、バラ紙幣、包装硬貨、帯封紙幣からなる群のうち少なくとも２つの種類のものを含み、貨幣の複数の種類に対応して、前記精査処理を含む様々な処理を行う貨幣処理装置が複数設けられており、前記制御部は、貨幣の複数の種類に対応する各前記貨幣処理装置で前記精査処理を同時に行うとともに、前記停止指令受付手段により前記精査処理の停止指令が受け付けられたときに、選択された貨幣の種類に対応する前記貨幣処理装置のみで前記停止処理を行うか、または全ての前記貨幣処理装置で前記停止処理を行うことができるようになっていてもよい。
【００１３】
この場合、本発明の貨幣処理機は、前記停止指令受付手段により前記精査処理の停止指令が受け付けられたときに、選択された貨幣の種類に対応する前記貨幣処理装置のみで前記停止処理を行うか、または全ての前記貨幣処理装置で前記停止処理を行うかの設定を行う設定部を更に備えていてもよい。
【００１４】
本発明の貨幣処理方法は、機体内で貨幣を搬送する搬送部と、前記搬送部に接続され、当該搬送部から送られた貨幣を収納するとともに収納された貨幣を前記搬送部に繰り出し可能な収納部と、前記搬送部に設けられ、当該搬送部により搬送される貨幣の識別を行う識別部とを備えた貨幣処理機による貨幣処理方法であって、前記収納部に収納された貨幣について、前記収納部から前記搬送部に繰り出して当該搬送部により搬送される間に前記識別部により識別および計数を行い、識別および計数が行われた貨幣を当該貨幣が繰り出された前記収納部に戻すような精査処理を行う工程と、前記精査処理が行われている間に、当該精査処理の停止指令が受け付けられたときに、前記収納部から前記搬送部への貨幣の繰り出しを停止するとともに前記搬送部により搬送されている貨幣を当該貨幣が繰り出された前記収納部または別の収納部に送るような停止処理を行う工程と、を備えたことを特徴とする。
【００１５】
このような貨幣処理方法によれば、精査処理が行われている間に、当該精査処理の停止指令が受け付けられたときに、収納部から搬送部への貨幣の繰り出しを停止するとともに搬送部により搬送されている貨幣を当該貨幣が繰り出された収納部または別の収納部に送るような停止処理を行うことにより、精査処理を途中で停止させることができるようになり操作者にとっての利便性を向上させることができる。
【発明の効果】
【００１６】
本発明の貨幣処理機および貨幣処理方法によれば、精査処理を途中で停止させることができるようになり操作者にとっての利便性を向上させることができる。
【図面の簡単な説明】
【００１７】
【図１】本発明の実施の形態による紙幣処理機の構成の概略を示す概略構成図である。
【図２】図１に示す紙幣処理機の機能ブロック図である。
【図３】図１に示す紙幣処理機により行われる精査処理を途中で停止させるときの動作を示すフローチャートである。
【図４】本発明の実施の形態による紙幣処理機の他の構成の概略を示す概略構成図である。
【図５】本発明に係る出納機の構成を示す斜視図である。
【発明を実施するための形態】
【００１８】
以下、図面を参照して本発明の実施の形態について説明する。図１乃至図５は、本実施の形態による紙幣処理機や出納機を示す図である。このうち、図１は、本実施の形態による紙幣処理機の構成の概略を示す概略構成図であり、図２は、図１に示す紙幣処理機の機能ブロック図であり、図３は、図１に示す紙幣処理機により行われる精査処理を途中で停止させるときの動作を示すフローチャートである。また、図４は、本実施の形態による紙幣処理機の他の構成の概略を示す概略構成図であり、図５は、本発明に係る出納機の構成を示す斜視図である。
【００１９】
本実施の形態の説明を行うにあたり、図１乃至図３では、機体内にある貨幣の在高を確認する精査処理を行う貨幣処理機として、機体内の一括紙幣収納庫や金種別紙幣収納庫に収納された紙幣の在高を確認する精査処理を行う紙幣処理機を例に挙げて述べる。
【００２０】
図１に示すように、本実施の形態による紙幣処理機１００は略直方体形状の筐体１０２を有しており、この紙幣処理機１００には、外部から筐体１０２内に紙幣を投入するための紙幣投入部１１０および筐体１０２内から外部にバラ紙幣を投出するためのバラ紙幣投出部１５２がそれぞれ設けられている。紙幣投入部１１０には紙幣繰出部１１２が設けられており、外部から紙幣投入部１１０に投入された紙幣は紙幣繰出部１１２により１枚ずつ筐体１０２内に繰り出されるようになっている。また、紙幣繰出部１１２には入金搬送部１１４が接続されており、紙幣繰出部１１２により筐体１０２内に繰り出された紙幣は入金搬送部１１４により１枚ずつ搬送されるようになっている。ここで、入金搬送部１１４には入金識別部１１６が設けられており、入金搬送部１１４により搬送される紙幣は入金識別部１１６によりその金種、真偽、正損、新旧等が識別されるようになっている。また、入金搬送部１１４による紙幣の搬送方向における入金識別部１１６の下流側には表裏反転部１１８が設けられており、入金識別部１１６により識別された紙幣は表裏反転部１１８によりその表裏が整えられるようになっている。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金搬送部１１４には入金リジェクト部１２０が接続されており、入金識別部１１６により正常な紙幣ではないと識別された紙幣、すなわちリジェクト紙幣が入金搬送部１１４から入金リジェクト部１２０に送られるようになっている。入金リジェクト部１２０は紙幣処理機１００の筐体１０２の外部からアクセス可能となっており、操作者はこの入金リジェクト部１２０に集積されたリジェクト紙幣を手動で取り出すことができるようになっている。
【００２１】
また、図１に示すように、入金搬送部１１４には１つの一括一時保留部１３０と、複数（例えば４つ）の金種別一時保留部１３２とがそれぞれ接続されている。ここで、１つの一括一時保留部１３０および複数の金種別一時保留部１３２は並列に並ぶよう配設されている。入金搬送部１１４から一括一時保留部１３０や各金種別一時保留部１３２に搬送された紙幣は、これらの一括一時保留部１３０や各金種別一時保留部１３２において積層状態で集積されることにより一時的に保留されるようになっている。なお、一括一時保留部１３０には複数の金種の紙幣が混合状態で一時的に保留されるようになっており、また、各金種別一時保留部１３２にはそれぞれ特定の金種の紙幣が一時的に保留されるようになっている。また、一括一時保留部１３０に対応して１つの一括紙幣収納庫１４０が設けられているとともに、各金種別一時保留部１３２に対応して複数の金種別紙幣収納庫１４２が設けられている。一括紙幣収納庫１４０には、一括一時保留部１３０から送られた紙幣が積層状態で収納されるようになっている。また、各金種別紙幣収納庫１４２には、対応する金種別一時保留部１３２から送られた紙幣が積層状態で収納されるようになっている。なお、一括紙幣収納庫１４０には複数の金種の紙幣が混合状態で収納されるようになっており、また、各金種別紙幣収納庫１４２にはそれぞれ特定の金種の紙幣が収納されるようになっている。また、一括紙幣収納庫１４０および各金種別紙幣収納庫１４２にはそれぞれ紙幣繰出部１４４が設けられており、これらの一括紙幣収納庫１４０および各金種別紙幣収納庫１４２から紙幣が１枚ずつ紙幣繰出部１４４により繰り出されるようになっている。
【００２２】
また、図１に示すように、各紙幣繰出部１４４には下部搬送部１４６が接続されており、各紙幣繰出部１４４により一括紙幣収納庫１４０や各金種別紙幣収納庫１４２から繰り出された紙幣は下部搬送部１４６により１枚ずつ搬送されるようになっている。ここで、下部搬送部１４６には出金識別部１４８が接続されており、下部搬送部１４６により搬送される紙幣は出金識別部１４８によりその金種、真偽、正損、新旧等が識別されるようになっている。また、出金識別部１４８には出金搬送部１５０が接続されており、出金識別部１４８により識別された紙幣は出金搬送部１５０により１枚ずつ搬送されるようになっている。
【００２３】
図１に示すように、出金搬送部１５０にはバラ紙幣投出部１５２、出金リジェクト部１５４、２つの整理一時保留部１６０がそれぞれ接続されており、出金識別部１４８により識別された紙幣のうち、筐体１０２の外部に投出されるべき紙幣は出金搬送部１５０によりバラ紙幣投出部１５２に送られてこのバラ紙幣投出部１５２に集積されるようになっている。バラ紙幣投出部１５２は紙幣処理機１００の筐体１０２の外部からアクセス可能となっており、操作者はこのバラ紙幣投出部１５２に集積されたバラ紙幣を手動で取り出すことができるようになっている。また、出金識別部１４８により正常な紙幣ではないと識別された紙幣、すなわちリジェクト紙幣は出金搬送部１５０により出金リジェクト部１５４に送られるようになっている。また、出金リジェクト部１５４に集積されたリジェクト紙幣を取り出すにあたり、操作者は紙幣処理機１００の筐体１０２に設けられた扉（図示せず）を開いて出金リジェクト部１５４内のリジェクト紙幣を取り出すようになっている。また、出金識別部１４８により識別された紙幣のうち、紙幣処理機１００に併設された帯封紙幣処理機（図示せず）により帯封されるべき紙幣は出金搬送部１５０により各整理一時保留部１６０に送られるようになっている。各整理一時保留部１６０では、出金搬送部１５０から送られた紙幣が積層状態で集積されるようになっている。そして、各整理一時保留部１６０に集積された紙幣の束は、帯封紙幣処理機のアーム部１９０によってこれらの整理一時保留部１６０から取り出され、帯封紙幣処理機の帯封部（図示せず）に搬送されるようになる。また、図１に示すように、出金識別部１４８により識別された紙幣を出金搬送部１５０により表裏反転部１１８に送ることができるようになっており、出金搬送部１５０により表裏反転部１１８に送られた紙幣は入金搬送部１１４により一括一時保留部１３０や各金種別一時保留部１３２に搬送されるようになっている。
【００２４】
また、図１に示すように、入金搬送部１１４や出金搬送部１５０における分岐箇所には分岐部材１７０がそれぞれ設けられており、これらの分岐部材１７０により分岐箇所における紙幣の搬送先が決められるようになっている。また、入金搬送部１１４、下部搬送部１４６、出金搬送部１５０には紙幣の検出を行う紙幣検出センサ１８０が複数設けられている。また、本実施の形態では、出金搬送部１５０における、出金識別部１４８と各整理一時保留部１６０との間には、紙幣厚さ検知センサ１８２および半券検知センサ１８４がそれぞれ設けられている。また、半券検知センサ１８４は、バラ紙幣投出部１５２への入口部分である出金搬送部１５０にも設けられている。
【００２５】
また、本実施の形態の紙幣処理機１００には、当該紙幣処理機１００の各構成要素の制御を行う制御部２００（図１では図示せず）が設けられている。このような制御部２００の構成について図２を用いて説明する。図２に示すように、制御部２００には紙幣繰出部１１２、入金搬送部１１４、入金識別部１１６、表裏反転部１１８、一括一時保留部１３０、金種別一時保留部１３２、紙幣繰出部１４４、下部搬送部１４６、出金識別部１４８、出金搬送部１５０、分岐部材１７０、紙幣検出センサ１８０、紙幣厚さ検知センサ１８２、半券検知センサ１８４、アーム部１９０等がそれぞれ接続されている。そして、入金識別部１１６や出金識別部１４８による紙幣の識別結果に係る信号や、紙幣検出センサ１８０、紙幣厚さ検知センサ１８２、半券検知センサ１８４による紙幣の検知結果に係る信号等が制御部２００に送られるようになっている。また、制御部２００は、紙幣繰出部１１２、入金搬送部１１４、表裏反転部１１８、一括一時保留部１３０、金種別一時保留部１３２、紙幣繰出部１４４、下部搬送部１４６、出金搬送部１５０、分岐部材１７０、アーム部１９０等の各構成要素に指令信号を送ることによりこれらの構成要素の制御を行うようになっている。
【００２６】
また、図２に示すように、制御部２００には表示部２０２、操作部２０４、停止指令受付手段２０６、記憶部２０８がそれぞれ接続されている。表示部２０２は例えば紙幣処理機１００の筐体１０２の前面や上面に設けられたモニタ等からなり、紙幣処理機１００における紙幣の処理状況や、一括紙幣収納庫１４０や各金種別紙幣収納庫１４２に収納されている紙幣の在高等に関する情報等が表示部２０２に表示されるようになっている。また、操作部２０４は例えばキーボードや操作キー等からなり、操作者はこの操作部２０４により制御部２００に対して様々な指令を与えることができるようになっている。なお、表示部２０２および操作部２０４がそれぞれ設けられる代わりに、表示部２０２および操作部２０４の機能が一体化されたタッチパネル等の操作表示部が紙幣処理機１００の筐体１０２の前面や上面に設けられていてもよい。また、停止指令受付手段２０６は、後述する精査処理の停止指令を受け付けるようになっている。このような停止指令受付手段２０６の構成の詳細については後述する。また、記憶部２０８には、紙幣処理機１００における紙幣の処理状況や、一括紙幣収納庫１４０や各金種別紙幣収納庫１４２に収納されている紙幣の在高等に関する情報等が記憶されるようになっている。
【００２７】
次に、このような構成からなる紙幣処理機１００の動作について説明する。なお、以下に示すような紙幣処理機１００の動作は、制御部２００が当該紙幣処理機１００の各構成要素を制御することにより行われるようになっている。
【００２８】
まず、紙幣処理機１００において入金処理を行う際の動作について説明する。紙幣処理機１００が待機状態となっているときに、操作者が入金処理開始の指令を操作部２０４により制御部２００に入力するとともに、紙幣投入部１１０にバラ紙幣を投入すると、紙幣投入部１１０に投入された紙幣は紙幣繰出部１１２により１枚ずつ筐体１０２内に繰り出され、入金搬送部１１４により搬送されるようになる。そして、入金搬送部１１４により搬送される紙幣は入金識別部１１６によりその金種、真偽、正損、新旧等が識別される。入金識別部１１６により識別された紙幣は表裏反転部１１８によりその表裏が整えられる。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金識別部１１６により正常な紙幣ではないと識別された紙幣、すなわちリジェクト紙幣は入金搬送部１１４から入金リジェクト部１２０に送られる。入金リジェクト部１２０は紙幣処理機１００の筐体１０２の外部からアクセス可能となっており、紙幣投入部１１０に投入された紙幣が全て筐体１０２内に繰り出されると、操作者はこの入金リジェクト部１２０に集積されたリジェクト紙幣を手動で取り出し、紙幣投入部１１０に再投入等するようになる。
【００２９】
一方、入金識別部１１６により正常な紙幣であると識別された紙幣は、入金搬送部１１４により一括一時保留部１３０または各金種別一時保留部１３２に送られ、これらの一時保留部で一時的に保留されるようになる。具体的には、入金識別部１１６により正常な紙幣であると識別された紙幣は、対応する金種の金種別一時保留部１３２に送られるが、この対応する金種の金種別一時保留部１３２が満杯状態である場合には、当該紙幣は一括一時保留部１３０に送られるようになる。そして、紙幣投入部１１０に投入された紙幣が全て筐体１０２内に繰り出され、入金リジェクト部１２０、一括一時保留部１３０または各金種別一時保留部１３２に送られると、表示部２０２には操作者に対して入金確定の指令を促すメッセージが表示される。このときに、操作者が操作部２０４により入金確定の指令を入力すると、一括一時保留部１３０や各金種別一時保留部１３２に一時的に保留されている紙幣が、対応する一括紙幣収納庫１４０や各金種別紙幣収納庫１４２に送られ、これらの紙幣収納庫に収納されるようになる。このようにして、紙幣処理機１００における入金処理に係る一連の動作が完了する。
【００３０】
次に、紙幣処理機１００により出金処理を行う際の動作について説明する。紙幣処理機１００が待機状態となっているときに、操作者が出金処理開始の指令および出金すべき紙幣の金種毎の枚数や合計金額等を操作部２０４により制御部２００に入力すると、出金すべき金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。なお、紙幣処理機１００において出金処理が完了した後に出金リジェクト部１５４に集積されたリジェクト紙幣を取り出すにあたり、操作者は紙幣処理機１００の筐体１０２に設けられた扉（図示せず）を開いて出金リジェクト部１５４内のリジェクト紙幣を取り出すこととなる。また、出金識別部１４８により正常な紙幣であると識別された紙幣は出金搬送部１５０によりバラ紙幣投出部１５２に送られ、このバラ紙幣投出部１５２に集積される。バラ紙幣投出部１５２は紙幣処理機１００の筐体１０２の外部からアクセス可能となっており、紙幣処理機１００において出金処理が完了すると、操作者はこのバラ紙幣投出部１５２に集積された紙幣を手動で取り出すようになる。このようにして、紙幣処理機１００における出金処理に係る一連の動作が完了する。
【００３１】
また、図１に示すような紙幣処理機１００に帯封紙幣処理機（図示せず）が併設されている場合には、紙幣処理機１００において以下に示すような束紙幣作成処理を行うことができるようになっている。このような束紙幣作成処理について以下に説明する。
【００３２】
紙幣処理機１００が待機状態となっているときに、帯封紙幣処理機により帯封紙幣を作成する旨の指令を操作者が操作部２０４により制御部２００に入力すると、帯封紙幣処理機により作成されるべき帯封紙幣の金種に該当する紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０により各整理一時保留部１６０に送られる。各整理一時保留部１６０では、出金搬送部１５０から送られた紙幣が積層状態で集積される。そして、帯封紙幣を構成すべき所定枚数（例えば１００枚）の紙幣が各整理一時保留部１６０に集積されると、各整理一時保留部１６０に集積された紙幣の束は、帯封紙幣処理機のアーム部１９０によってこれらの整理一時保留部１６０から取り出され、帯封紙幣処理機の帯封部（図示せず）に搬送される。このようにして、紙幣処理機１００における束紙幣作成処理に係る一連の動作が完了する。
【００３３】
次に、紙幣処理機１００により精査処理を行う際の動作について説明する。紙幣処理機１００が待機状態となっているときに、操作者が精査処理開始の指令を操作部２０４により制御部２００に入力すると、あるいは金融機関や店舗等の営業時間外の予め設定された時刻になると、一括紙幣収納庫１４０や各金種別紙幣収納庫１４２に収納された紙幣について、これらの一括紙幣収納庫１４０や各金種別紙幣収納庫１４２から紙幣繰出部１４４により下部搬送部１４６に繰り出して出金識別部１４８により識別および計数を行い、識別および計数が行われた紙幣を当該紙幣が繰り出された一括紙幣収納庫１４０や各金種別紙幣収納庫１４２に戻すような精査処理が行われる。具体的には、一括紙幣収納庫１４０に収納された紙幣について、当該一括紙幣収納庫１４０から１枚ずつ紙幣繰出部１４４により下部搬送部１４６に繰り出される。そして、下部搬送部１４６により搬送される紙幣は出金識別部１４８により識別および計数が行われる。ここで、出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０から表裏反転部１１８に送られる。そして、表裏反転部１１８に送られた紙幣は当該表裏反転部１１８によりその表裏が整えられた後、一括紙幣収納庫１４０に対応する一括一時保留部１３０に送られて当該一括一時保留部１３０で一時的に保留される。そして、一括紙幣収納庫１４０から紙幣が全て繰り出されて一括一時保留部１３０に送られると、一括一時保留部１３０で一時的に保留されている紙幣が一括紙幣収納庫１４０に送られる。
【００３４】
より厳密には、一括一時保留部１３０が一括紙幣収納庫１４０に比べて容積が小さくなっているので、一括紙幣収納庫１４０に収納されている紙幣の枚数が多くて、一括一時保留部１３０に一度に入りきらないときは、一括一時保留部１３０が満杯になった時点でこの紙幣を一括紙幣収納庫１４０に送る。一括紙幣収納庫１４０内は昇降自在のセパレータ
（図示せず）で仕切られており、一括一時保留部１３０から送られた計数済みの紙幣はこのセパレータ上に集積していく。セパレータの下側には精査処理すべき未計数の紙幣が収納されており、計数済みの紙幣と未計数の紙幣が混合することはない。そして空になった一括一時保留部１３０へ一括紙幣収納庫１４０から紙幣を計数して送り込む。この動作を繰り返して一括紙幣収納庫１４０内に収納されていた全ての紙幣の計数を行う。計数済みの全ての紙幣はセパレータ上に集積される。そしてセパレータが一括紙幣収納庫１４０の外側へ退避してセパレータ上の紙幣をセパレータの下側の元の位置に戻す。なお、以上の動作は、後述の金種別紙幣収納庫１４２に収納されている紙幣の精査処理における金種別紙幣収納庫１４２と金種別一時保留部１３２との関係についても同じである。
【００３５】
また、各金種別紙幣収納庫１４２に収納された紙幣について、金種別紙幣収納庫１４２毎に、金種別紙幣収納庫１４２から１枚ずつ紙幣繰出部１４４により下部搬送部１４６に繰り出される。そして、下部搬送部１４６により搬送される紙幣は出金識別部１４８により識別および計数が行われる。ここで、出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０から表裏反転部１１８に送られる。そして、表裏反転部１１８に送られた紙幣は当該表裏反転部１１８によりその表裏が整えられた後、当該紙幣が繰り出された金種別紙幣収納庫１４２に対応する金種別一時保留部１３２に送られて当該金種別一時保留部１３２で一時的に保留される。そして、金種別紙幣収納庫１４２から紙幣が全て繰り出されて金種別一時保留部１３２に送られると、金種別一時保留部１３２で一時的に保留されている紙幣が金種別紙幣収納庫１４２に送られる。このような動作は金種別紙幣収納庫１４２毎に行われる。
【００３６】
なお、図１では一括一時保留部１３０と一括紙幣収納庫１４０は分離独立していているが、一括一時保留部１３０と一括紙幣収納庫１４０とが外見上は一体的になっていて、一括一時保留部１３０と一括紙幣収納庫１４０とを図示しない上下動するセパレータで区画した態様のものについても同じことである。この場合、セパレータはその上に載置された紙幣（これが一括一時保留部１３０に一時保留された紙幣に相当）の枚数が多くなるにつれて下降していき、一括紙幣収納庫１４０から繰出された全ての紙幣は一度に一括一時保留部１３０に保留されるようになっている。そして、一括紙幣収納庫１４０から紙幣が全て繰り出されて一括一時保留部１３０に送られると、セパレータが一括紙幣収納庫１４０の外側へ退避して、セパレータ上の紙幣を一括紙幣収納庫１４０に送るようになっている。なお、各金種別一時保留部１３２と対応する各金種別紙幣収納庫１４２についても、同様の態様のものを用いることができる。
【００３７】
本実施の形態では、上述したような精査処理が行われている間に、当該精査処理を途中で停止させることができるようになっている。このような精査処理を途中で停止させるときの動作について図３に示すフローチャートを用いて説明する。
【００３８】
上述したように一括紙幣収納庫１４０や各金種別紙幣収納庫１４２に収納された紙幣について精査処理が行われているときに（ＳＴＥＰ１）、操作者が操作部２０４により精査処理の停止指令を入力すると、停止指令受付手段２０６により精査処理の停止指令が受け付けられるようになる（ＳＴＥＰ２の「ＹＥＳ」）。そして、停止指令受付手段２０６により精査処理の停止指令が受け付けられると、表示部２０２には停止確認画面が表示される（ＳＴＥＰ３）。具体的には、例えば、「精査処理を停止してもよろしいですか？」というメッセージが表示部２０２に表示されるようになる。このような停止確認画面が表示部２０２に表示されているときに、操作者が操作部２０４により停止処理を行うことの確認指令を入力すると（ＳＴＥＰ４の「ＹＥＳ」）、精査処理が停止されるようになる（ＳＴＥＰ５）。一方、上述したような停止確認画面が表示部２０２に表示されているときに、操作者が操作部２０４により停止処理を行うことをキャンセルする指令を入力すると（ＳＴＥＰ４の「ＮＯ」）、精査処理が再開されるようになる（ＳＴＥＰ１）。
【００３９】
精査処理が停止されると、一括紙幣収納庫１４０や各金種別紙幣収納庫１４２から下部搬送部１４６への紙幣の繰り出しが停止される。また、精査処理が停止されると、一括紙幣収納庫１４０や各金種別紙幣収納庫１４２から既に繰り出されて下部搬送部１４６や出金搬送部１５０、入金搬送部１１４により搬送されている紙幣は、当該紙幣が繰り出された一括紙幣収納庫１４０や各金種別紙幣収納庫１４２に対応する一括一時保留部１３０や各金種別一時保留部１３２に送られるようになる。そして、下部搬送部１４６や出金搬送部１５０、入金搬送部１１４により搬送されている紙幣が全て一括一時保留部１３０や各金種別一時保留部１３２に送られると、一括一時保留部１３０や各金種別一時保留部１３２で一時的に保留されている紙幣が対応する一括紙幣収納庫１４０や各金種別紙幣収納庫１４２に送られる。また、図１に示すような構成の紙幣処理機１００では、精査処理が停止されると、当該精査処理が行われている間における出金識別部１４８による紙幣の計数結果が破棄され、精査処理を再開する際には最初から精査処理をやり直すようになる。
【００４０】
なお、図１に示すような構成の紙幣処理機１００では、精査処理を再開する際に途中から精査処理をやり直そうとした場合に、以下に示すような問題が生じてしまう。具体的には、精査処理が中断されている間に紙幣の入金処理が行われる場合には、この入金された紙幣は一括一時保留部１３０や各金種別一時保留部１３２に送られるようになる。このときには、これらの一時保留部には精査済の紙幣および入金された紙幣が混合状態で保留されるようになるため、これらの一時保留部に保留されている紙幣の枚数が不確定となってしまうという問題が生じてしまう。また、精査処理が中断されている間に紙幣の出金処理が行われる場合には、各金種別紙幣収納庫１４２から繰り出された紙幣がバラ紙幣投出部１５２に送られるようになるため、各金種別紙幣収納庫１４２から繰り出される紙幣として精査処理が行われるべき紙幣および出金処理が行われるべき紙幣が混じってしまい、各金種別紙幣収納庫１４２から繰り出された紙幣のうち精査処理が行われるべき紙幣の枚数が不確定となってしまうという問題が生じてしまう。このような理由により、図１に示すような構成の紙幣処理機１００では、精査処理が停止された後に再開する際には最初から精査処理をやり直すようになる。
【００４１】
紙幣処理機１００において上述したような精査処理が行われる際に、停止指令受付手段２０６により精査処理の停止指令が受け付けられることなく（ＳＴＥＰ２の「ＮＯ」）、当該精査処理が完了すると（ＳＴＥＰ６の「ＹＥＳ」）、表示部２０２には精査処理が完了した旨のメッセージが表示されるとともに、操作者に対して手操作が必要な処理を促す旨のメッセージが表示されるようになる。ここで、手操作が必要な処理とは、例えば、操作者が出金リジェクト部１５４から精査処理中にリジェクトとなったリジェクト紙幣を取り出して紙幣投入部１１０に投入し、入金識別部１１６により識別および計数させた後に一括一時保留部１３０や各金種別一時保留部１３２に送るような動作のことをいう。そして、操作者がこのような手操作が必要な処理を行うと（ＳＴＥＰ７）、制御部２００は、記憶部２０８に記憶されている一括紙幣収納庫１４０や各金種別紙幣収納庫１４２の在高データと、上述した精査処理における出金識別部１４８による紙幣の計数結果および上記手操作の際の入金識別部１１６による計数結果との合計値とを照合する照合処理を行う（ＳＴＥＰ８）。このような照合処理において両者が一致すれば、紙幣処理機１００における精査処理の一連の動作が完了する。一方、照合処理において両者が一致しない場合には、紙幣処理機１００において違算が発生していると判断され、表示部２０２に警告メッセージが表示されるようになる。
【００４２】
以上のような構成からなる本実施の形態の紙幣処理機１００によれば、一括紙幣収納庫１４０や各金種別紙幣収納庫１４２に収納された紙幣について精査処理を行う制御部２００と、精査処理の停止指令を受け付ける停止指令受付手段２０６とがそれぞれ設けられており、制御部２００は、精査処理が行われている間に、停止指令受付手段２０６により精査処理の停止指令が受け付けられたときに、一括紙幣収納庫１４０や各金種別紙幣収納庫１４２から下部搬送部１４６への紙幣の繰り出しを停止するとともに、下部搬送部１４６や出金搬送部１５０、入金搬送部１１４により搬送されている紙幣を最終的に当該紙幣が繰り出された一括紙幣収納庫１４０や各金種別紙幣収納庫１４２に送るような停止処理を行うことができるようになっている。このように、本実施の形態の紙幣処理機１００では、精査処理を途中で停止させることができるようになるため、精査処理の途中で入金処理や出金処理等の別の処理を緊急に行いたい場合や、精査処理を行う必要がないのに操作者が誤って精査処理開始の指令を貨幣処理機に与えてしまった場合等に、精査処理を即停止することができ、操作者にとっての利便性を向上させることができる。
【００４３】
また、本実施の形態の紙幣処理機１００においては、前述したように、制御部２００は、上述した停止処理を行う際に、精査処理が行われている間における出金識別部１４８による紙幣の計数結果を破棄するようになっている。この場合には、精査処理が停止された後に再開する際には最初から精査処理をやり直すようになる。
【００４４】
また、本実施の形態の紙幣処理機１００においては、前述したように、停止指令受付手段２０６により精査処理の停止指令が受け付けられたときにこの停止処理を行うか否かを操作者に確認するための停止確認画面を表示する表示部２０２が設けられており、制御部２００は、表示部２０２に停止確認画面が表示されている際に停止処理を行うことの確認指令が与えられたときに停止処理を行うようになっている。
【００４５】
なお、本実施の形態による、精査処理を実行可能な紙幣処理機は、上述したような態様に限定されることはなく、様々な変更を加えることができる。
【００４６】
例えば、図１に示すような構成の紙幣処理機１００を用いる代わりに、図４に示すような構成の紙幣処理機１００ａを用いてもよい。図４に示す紙幣処理機１００ａは、図１に示す紙幣処理機１００と比較して精査処理用紙幣収納庫１７２が追加的に設けられている点が異なるのみであり、他の構成は実質的に図１に示す紙幣処理機１００の構成と同様となっている。図４に示す紙幣処理機１００ａの構成要素を説明するにあたり、図１に示す紙幣処理機１００の構成要素と同じものについては同じ参照符号を付してその説明を省略する。
【００４７】
図４に示す紙幣処理機１００ａでは、一括紙幣収納庫１４０や各金種別紙幣収納庫１４２と横に並ぶように精査処理用紙幣収納庫１７２が設けられている。この精査処理用紙幣収納庫１７２は、紙幣処理機１００ａにおいて紙幣の精査処理が行われる際に用いられるようになっている。より具体的には、紙幣処理機１００ａにおいて紙幣の精査処理が行われる際に、一括紙幣収納庫１４０や各金種別紙幣収納庫１４２に収納されている紙幣が、一括紙幣収納庫１４０や各金種別紙幣収納庫１４２毎に精査処理用紙幣収納庫１７２に移され、この際に出金識別部１４８により紙幣の識別および計数を行うようになっている。そして、一括紙幣収納庫１４０や各金種別紙幣収納庫１４２から精査処理用紙幣収納庫１７２に紙幣が全て移された後に、精査処理用紙幣収納庫１７２から一括紙幣収納庫１４０や各金種別紙幣収納庫１４２に紙幣が戻されるようになる。
【００４８】
図４に示すように、精査処理用紙幣収納庫１７２は入金搬送部１１４および出金搬送部１５０に接続されており、これらの入金搬送部１１４や出金搬送部１５０から精査処理用紙幣収納庫１７２に紙幣が送られるようになっている。また、精査処理用紙幣収納庫１７２には紙幣繰出部１４４と同様の構成の紙幣繰出部１７４が設けられており、精査処理用紙幣収納庫１７２に収納された紙幣は１枚ずつ紙幣繰出部１７４により下部搬送部１４６に繰り出すことができるようになっている。
【００４９】
このような構成からなる紙幣処理機１００ａにより精査処理を行う際の動作について説明する。紙幣処理機１００ａが待機状態となっているときに、操作者が精査処理開始の指令を操作部２０４により制御部２００に入力すると、あるいは金融機関や店舗等の営業時間外の予め設定された時刻になると、まず、一括紙幣収納庫１４０や各金種別紙幣収納庫１４２に収納された紙幣は、一括紙幣収納庫１４０や各金種別紙幣収納庫１４２毎に精査処理用紙幣収納庫１７２に移される。具体的には、一括紙幣収納庫１４０や各金種別紙幣収納庫１４２に収納された紙幣について、これらの一括紙幣収納庫１４０や各金種別紙幣収納庫１４２から１枚ずつ紙幣繰出部１４４により下部搬送部１４６に繰り出される。そして、下部搬送部１４６により搬送される紙幣は出金識別部１４８により識別および計数が行われる。ここで、出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０から精査処理用紙幣収納庫１７２に送られる。そして、一括紙幣収納庫１４０や各金種別紙幣収納庫１４２の各々から紙幣が全て繰り出されて精査処理用紙幣収納庫１７２に送られると、精査処理用紙幣収納庫１７２に収納された紙幣は１枚ずつ紙幣繰出部１７４により下部搬送部１４６に繰り出される。そして、下部搬送部１４６により搬送される紙幣は出金識別部１４８により識別および計数が行われ、その後、出金搬送部１５０から表裏反転部１１８を経て一括一時保留部１３０や金種別一時保留部１３２に送られる。そして、精査処理用紙幣収納庫１７２から紙幣が全て繰り出されて一括一時保留部１３０や金種別一時保留部１３２に送られると、一括一時保留部１３０や金種別一時保留部１３２で一時的に保留されている紙幣が対応する一括紙幣収納庫１４０や金種別紙幣収納庫１４２に送られる。このような動作は一括紙幣収納庫１４０や金種別紙幣収納庫１４２毎に行われる。
【００５０】
また、図４に示すような紙幣処理機１００ａにおいて上述したような精査処理が行われているときに当該精査処理が停止されると、一括紙幣収納庫１４０や各金種別紙幣収納庫１４２、精査処理用紙幣収納庫１７２から下部搬送部１４６への紙幣の繰り出しが停止される。また、一括紙幣収納庫１４０や各金種別紙幣収納庫１４２から精査処理用紙幣収納庫１７２に送られている状態にある紙幣は、出金搬送部１５０により精査処理用紙幣収納庫１７２に送られる。同様に、精査処理用紙幣収納庫１７２から一括紙幣収納庫１４０や各金種別紙幣収納庫１４２に戻されている状態にある紙幣も、入金搬送部１１４や出金搬送部１５０により精査処理用紙幣収納庫１７２に送られる。
【００５１】
また、図４に示すような構成の紙幣処理機１００ａでは、精査処理が停止されても、精査処理を途中から再開することができるよう、当該精査処理が行われている間における出金識別部１４８による紙幣の計数結果が制御部２００において維持されるようになっている。このことにより、図４に示すような構成の紙幣処理機１００ａでは、精査処理が停止された後に再開する際に当該精査処理を続きからやり直すことができるようになる。
【００５２】
具体的に説明すると、図４に示すような構成の紙幣処理機１００ａでは、出金識別部１４８により識別および計数が行われた紙幣は精査処理用紙幣収納庫１７２に収納されるため、精査処理が停止されても、精査処理済の紙幣は精査処理用紙幣収納庫１７２に収納されたままとなり、精査処理前の紙幣および精査処理後の紙幣はそれぞれ別の箇所に収納されるようになる。精査処理が中断されている間に紙幣の入金処理が行われる場合には、この入金された紙幣は一括一時保留部１３０や各金種別一時保留部１３２に送られて一時的に保留された後、一括紙幣収納庫１４０や各金種別紙幣収納庫１４２に収納されるようになるが、精査処理用紙幣収納庫１７２に収納されている精査処理済の紙幣の枚数に変化はない。このことにより、精査処理を再開するときに当該精査処理を最初からやり直す必要はなく、一括紙幣収納庫１４０や各金種別紙幣収納庫１４２に収納されている紙幣についてのみ精査処理を行えばよい。
【００５３】
一方、精査処理が中断されている間に紙幣の出金処理が行われる場合には、各金種別紙幣収納庫１４２に収納されている紙幣が不足するときに備えて精査処理用紙幣収納庫１７２から各金種別紙幣収納庫１４２に紙幣を戻すことがある。このようなときには、精査処理用紙幣収納庫１７２に収納されている精査処理済の紙幣と、各金種別紙幣収納庫１４２に収納されている精査処理前の紙幣とが混じってしまうため、精査処理が停止された後に再開する際には当該精査処理を途中から再開するのではなく最初からやり直すようになる。また、このときには、停止される前の精査処理における出金識別部１４８による紙幣の計数結果が破棄される。
【００５４】
精査処理が中断されている間に紙幣の出金処理が行われる場合に、上記のように各金種別紙幣収納庫１４２に収納されている紙幣が不足するときに備えて前もって精査処理用紙幣収納庫１７２から各金種別紙幣収納庫１４２に紙幣を戻すのではなく、各金種別紙幣収納庫１４２内の紙幣がなくなった時に、精査処理用紙幣収納庫１７２から直接出金するようにして、精査処理用紙幣収納庫１７２内の枚数を管理するようにすれば、精査を再開する必要はない。また、各金種別紙幣収納庫１４２内の紙幣で足らなくなった時に、精査処理用紙幣収納庫１７２から各金種別紙幣収納庫１４２に紙幣を補填しても、精査処理用紙幣収納庫１７２内の枚数を管理することで、各金種別紙幣収納庫１４２に残った紙幣を繰出して計数した枚数と、精査処理用紙幣収納庫１７２内の枚数を合算することにより、枚数は確定し、精査処理を最初からやり直す必要はない。
【００５５】
以上のように図４に示すような紙幣処理機１００ａによれば、制御部２００は、精査処理が行われている間に、停止指令受付手段２０６により精査処理の停止指令が受け付けられたときに、一括紙幣収納庫１４０や各金種別紙幣収納庫１４２、精査処理用紙幣収納庫１７２から下部搬送部１４６への紙幣の繰り出しを停止するとともに、下部搬送部１４６や出金搬送部１５０、入金搬送部１１４により搬送されている紙幣を当該紙幣が繰り出された一括紙幣収納庫１４０や各金種別紙幣収納庫１４２とは別の収納部である精査処理用紙幣収納庫１７２に送るような停止処理を行うことができるようになっている。このように、図４に示すような紙幣処理機１００ａでも、精査処理を途中で停止させることができるようになるため、操作者にとっての利便性を向上させることができる。
【００５６】
また、図４に示すような紙幣処理機１００ａにおいては、前述したように、制御部２００は、停止処理を行う際に、精査処理を途中から再開することができるよう、精査処理が行われている間における出金識別部１４８による紙幣の計数結果を維持するようになっている。この場合には、精査処理が停止された後に再開する際には途中から精査処理の続きを行うことができるようになる。
【００５７】
また、本発明における、精査処理を途中で停止させることができる貨幣処理機は、図１乃至図４に示すような紙幣処理機１００、１００ａに限定されることはない。精査処理を途中で停止させることができる貨幣処理機の他の態様について図５を用いて説明する。
【００５８】
図５には、バラ硬貨の処理を行うバラ硬貨処理部１０と、包装硬貨の処理を行う包装硬貨処理部２０と、バラ紙幣の処理を行うバラ紙幣処理部３０と、帯封紙幣の処理を行う帯封紙幣処理部４０とを備えた出納機１が示されており、このような出納機１において精査処理を途中で停止させることができるようになっている。図５に示す出納機１の各構成要素について以下に説明する。
【００５９】
図５に示すように、バラ硬貨処理部１０の上面にはバラ硬貨入金口１２が設けられており、このバラ硬貨入金口１２に投入されたバラ硬貨はバラ硬貨処理部１０の機体内に繰り出され、当該バラ硬貨処理部１０の機体内にある識別部（図示せず）によりその金種、真偽、正損、新旧等が識別された後、バラ硬貨処理部１０の機体内にある複数のバラ硬貨収納部（図示せず）に例えば金種毎に収納されるようになっている。また、バラ硬貨処理部１０の前面にはバラ硬貨出金口１４が設けられており、出納機１にバラ硬貨の出金指令が与えられたときに、バラ硬貨処理部１０の機体内にあるバラ硬貨収納部からバラ硬貨が繰り出されてバラ硬貨出金口１４に搬送されるようになっている。また、このようなバラ硬貨処理部１０では、当該バラ硬貨処理部１０の機体内にある各バラ硬貨収納部に収納されたバラ硬貨について識別部により識別および計数を行うことによりその在高を確認する精査処理を行うことができるようになっている。
【００６０】
また、図５に示すように、バラ硬貨処理部１０の左隣には包装硬貨処理部２０が設置されており、バラ硬貨処理部１０から包装硬貨処理部２０にバラ硬貨が送られるようになっている。包装硬貨処理部２０において、バラ硬貨処理部１０から送られたバラ硬貨は包装部（図示せず）において例えば５０枚単位で包装紙等により棒状となるよう包装され、この包装された包装硬貨は当該包装硬貨処理部２０の機体内にある複数の包装硬貨収納部に例えば金種毎に収納されるようになっている。また、包装硬貨処理部２０の前面上部には包装硬貨出金口２２が設けられており、出納機１に包装硬貨の出金指令が与えられたときに、包装硬貨処理部２０の機体内にある包装硬貨収納部から包装硬貨が繰り出されて包装硬貨出金口２２に搬送されるようになっている。また、このような包装硬貨処理部２０では、当該包装硬貨処理部２０の機体内にある各包装硬貨収納部に収納された包装硬貨について識別および計数を行うことによりその在高を確認する精査処理を行うことができるようになっている。
【００６１】
また、図５に示すように、包装硬貨処理部２０の左隣にはバラ紙幣処理部３０が設置されており、このバラ紙幣処理部３０の前面上部にはバラ紙幣をバラ紙幣処理部３０の機体内に投入するためのバラ紙幣入金口３２が設けられているとともに、バラ紙幣処理部３０の上面にはバラ紙幣を機体外に投出するためのバラ紙幣出金口３４が設けられている。バラ紙幣入金口３２に投入されたバラ紙幣はバラ紙幣処理部３０の機体内にある識別部（図示せず）によりその金種、真偽、正損等が識別された後、バラ紙幣処理部３０の機体内にある複数のバラ紙幣収納部（図示せず）に例えば金種毎に収納されるようになっている。また、出納機１にバラ紙幣の出金指令が与えられたときに、バラ紙幣処理部３０の機体内にあるバラ紙幣収納部からバラ紙幣が繰り出されてバラ紙幣出金口３４に搬送されるようになっている。また、このようなバラ紙幣処理部３０では、当該バラ紙幣処理部３０の機体内にある各バラ紙幣収納部に収納されたバラ紙幣について識別部により識別および計数を行うことによりその在高を確認する精査処理を行うことができるようになっている。
【００６２】
また、バラ紙幣処理部３０の左隣には帯封紙幣処理部４０が設置されており、バラ紙幣処理部３０から帯封紙幣処理部４０にバラ紙幣が送られるようになっている。帯封紙幣処理部４０において、バラ紙幣処理部３０から送られたバラ紙幣は帯封部（図示せず）において例えば１００枚単位で帯封紙等により帯封され、この帯封された帯封紙幣は当該帯封紙幣処理部４０の機体内にある複数の帯封紙幣収納部に例えば金種毎に収納されるようになっている。また、帯封紙幣処理部４０の前面上部には帯封紙幣出金口４２が設けられており、出納機１に帯封紙幣の出金指令が与えられたときに、帯封紙幣処理部４０の機体内にある帯封紙幣収納部から帯封紙幣が繰り出されて帯封紙幣出金口４２に搬送されるようになっている。また、このような帯封紙幣処理部４０では、当該帯封紙幣処理部４０の機体内にある各帯封紙幣収納部に収納された帯封紙幣について識別および計数を行うことによりその在高を確認する精査処理を行うことができるようになっている。
【００６３】
なお、図５に示すような本発明に係る出納機１では、これらのバラ硬貨処理部１０、包装硬貨処理部２０、バラ紙幣処理部３０および帯封紙幣処理部４０に加えて、例えば小切手や商品券等の現金以外の有価媒体の処理を行う有価媒体処理部が並設されていてもよい。具体的には、このような有価媒体処理部が例えば包装硬貨処理部２０とバラ紙幣処理部３０との間に設けられていてもよい。
【００６４】
また、図５に示すように、バラ硬貨処理部１０の上面には例えばタッチパネル等からなる操作表示部５０が設けられている。このような操作表示部５０には、出納機１における貨幣の処理状況や、各処理部１０、２０、３０、４０の収納部に収納されている貨幣の在高等に関する情報が表示されるようになっている。また、操作者は操作表示部５０により出納機１に対して様々な指令を与えることができるようになっている。
【００６５】
図５に示す出納機１では、各処理部１０、２０、３０、４０の制御を行う制御部６０が設けられており、この制御部６０には操作表示部５０が接続されている。ここで、制御部６０は、バラ硬貨、バラ紙幣、包装硬貨、帯封紙幣という複数の種類に対応する各処理部１０、２０、３０、４０で精査処理を同時に行わせることができるようになっている。すなわち、操作表示部５０により精査処理開始の指令が与えられると、あるいは金融機関や店舗等の営業時間外の予め設定された時刻になると、各処理部１０、２０、３０、４０で精査処理が一斉に開始されるようになる。また、図５に示す出納機１では、図１等に示す紙幣処理機１００と同様に、精査処理の停止指令を受け付ける停止指令受付手段６１が設けられており、このような停止指令受付手段６１は制御部６０に接続されている。そして、操作者が操作表示部５０により精査処理の停止指令を入力することにより、停止指令受付手段６１によって精査処理の停止指令が受け付けられたときに、制御部６０は、選択された貨幣の種類に対応する処理部１０、２０、３０、４０のみで停止処理を行うか、または全ての処理部１０、２０、３０、４０で停止処理を行うことができるようになっている。
【００６６】
より詳細には、図５に示す出納機１では、停止指令受付手段６１により精査処理の停止指令が受け付けられたときに、選択された貨幣の種類に対応する処理部１０、２０、３０、４０のみで停止処理を行うか、または全ての処理部１０、２０、３０、４０で停止処理を行うかの設定を行う設定部６２が設けられており、このような設定部６２は制御部６０に接続されている。そして、出納機１の導入時等において、操作者が操作表示部５０により、精査処理の停止指令が受け付けられたときに選択された貨幣の種類に対応する処理部１０、２０、３０、４０のみで停止処理を行うような初期設定の入力を行ったときには、設定部６２においてこのような設定が行われるようになる。この場合には、停止指令受付手段６１によって精査処理の停止指令が受け付けられたときに、操作者は操作表示部５０により精査処理を停止する貨幣の種類の選択も行い、制御部６０は、選択された貨幣の種類に対応する処理部１０、２０、３０、４０のみで停止処理を行うようになる。一方、出納機１の導入時等において、操作者が操作表示部５０により、精査処理の停止指令が受け付けられたときに全ての処理部１０、２０、３０、４０で停止処理を行うような初期設定の入力を行ったときには、設定部６２においてこのような設定が行われるようになる。この場合には、停止指令受付手段６１によって精査処理の停止指令が受け付けられたときに、制御部６０は、全ての処理部１０、２０、３０、４０で停止処理を行うようになる。
【００６７】
このように、図５に示すような出納機１によれば、制御部６０は、貨幣の複数の種類に対応する各処理部１０、２０、３０、４０で精査処理を同時に行うとともに、停止指令受付手段６１により精査処理の停止指令が受け付けられたときに、選択された貨幣の種類に対応する処理部１０、２０、３０、４０のみで停止処理を行うか、または全ての処理部１０、２０、３０、４０で停止処理を行うことができるようになっている。例えば、精査処理中に緊急に硬貨の入金処理を行う必要が生じた場合には、バラ硬貨処理部１０における精査処理のみの停止処理を行うようにすればよい。このことにより、出納機１において精査処理の停止指令を行うにあたり、様々な方法の停止処理を行うことができるため、精査処理を停止するにあたり操作者にとっての利便性を向上させることができるようになる。
【００６８】
なお、本発明では、出納機は上述した構成のものに限定されることはなく、バラ硬貨、バラ紙幣、包装硬貨、帯封紙幣という４つの種類の貨幣のうち少なくとも２つの種類の貨幣に対応するような構成のものが用いられてもよい。すなわち、出納機において、バラ硬貨処理部１０、包装硬貨処理部２０、バラ紙幣処理部３０および帯封紙幣処理部４０のうち少なくとも２つの処理部が設けられたものが用いられてもよい。本発明では、このような変形例に係る出納機でも、制御部６０は、貨幣の複数の種類に対応する各処理部で精査処理を同時に行うとともに、停止指令受付手段６１により精査処理の停止指令が受け付けられたときに、選択された貨幣の種類に対応する処理部のみで停止処理を行うか、または全ての処理部で停止処理を行うことができるようになっている。このことにより、上述したような変形例に係る出納機において精査処理の停止指令を行うにあたり、様々な方法の停止処理を行うことができるため、精査処理を停止するにあたり操作者にとっての利便性を向上させることができるようになる。
【符号の説明】
【００６９】
１  出納機
１０  バラ硬貨処理部（貨幣処理装置）
１２  バラ硬貨入金口
１４  バラ硬貨出金口
２０  包装硬貨処理部（貨幣処理装置）
２２  包装硬貨出金口
３０  バラ紙幣処理部（貨幣処理装置）
３２  バラ紙幣入金口
３４  バラ紙幣出金口
４０  帯封紙幣処理部（貨幣処理装置）
４２  帯封紙幣出金口
５０  操作表示部
６０  制御部
６１  停止指令受付手段
６２  設定部
１００、１００ａ  紙幣処理機
１０２  筐体
１１０  紙幣投入部
１１２  紙幣繰出部
１１４  入金搬送部（搬送部）
１１６  入金識別部
１１８  表裏反転部
１２０  入金リジェクト部
１３０  一括一時保留部
１３２  金種別一時保留部
１４０  一括紙幣収納庫（収納部）
１４２  金種別紙幣収納庫（収納部）
１４４  紙幣繰出部
１４６  下部搬送部（搬送部）
１４８  出金識別部（識別部）
１５０  出金搬送部（搬送部）
１５２  バラ紙幣投出部
１５４  出金リジェクト部
１６０  整理一時保留部
１７０  分岐部材
１７２  精査処理用紙幣収納庫（別の収納部、精査用収納部）
１７４  紙幣繰出部
１８０  紙幣検出センサ
１８２  紙幣厚さ検知センサ
１８４  半券検知センサ
１９０  アーム部
２００  制御部
２０２  表示部
２０４  操作部
２０６  停止指令受付手段
２０８  記憶部
【図１】
2018120601.tif 000003
【図２】
2018120601.tif 000004
【図３】
2018120601.tif 000005
【図４】
2018120601.tif 000006
【図５】
2018120601.tif 000007
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
機体内で貨幣を搬送する搬送部と、
前記搬送部に接続され、当該搬送部から送られた貨幣を収納するとともに収納された貨幣を前記搬送部に繰り出し可能な収納部と、
前記搬送部に設けられ、当該搬送部により搬送される貨幣の識別を行う識別部と、
前記収納部に収納された貨幣について、前記収納部から前記搬送部に繰り出して当該搬送部により搬送される間に前記識別部により識別および計数を行う精査処理を行う制御部と、
を備え、
前記制御部は、前記精査処理が行われている間に当該精査処理が停止されると、前記精査処理を途中から再開することができるよう、前記精査処理が行われている間における前記識別部による貨幣の識別結果を維持する、貨幣処理機。
【請求項２】
前記精査処理の停止指令を外部から受け付ける停止指令受付手段を更に備え、
前記精査処理が行われている間に、前記停止指令受付手段により前記精査処理の停止指令が受け付けられると、前記精査処理が停止される、請求項１記載の貨幣処理機。
【請求項３】
前記制御部は、前記精査処理が中断されている間に貨幣の出金処理が行われる場合には、停止される前の前記精査処理における前記識別部による貨幣の識別結果を破棄する、請求項１または２記載の貨幣処理機。
【請求項４】
前記識別部により正常な貨幣ではないと識別された貨幣が前記搬送部から送られるリジェクト部を更に備えた、請求項１乃至３のいずれか一項に記載の貨幣処理機。
【請求項５】
前記精査処理が行われる貨幣は紙幣である、請求項１乃至４のいずれか一項に記載の貨幣処理機。
【請求項６】
機体内で貨幣を搬送する搬送部と、前記搬送部に接続され、当該搬送部から送られた貨幣を収納するとともに収納された貨幣を前記搬送部に繰り出し可能な収納部と、前記搬送部に設けられ、当該搬送部により搬送される貨幣の識別を行う識別部とを備えた貨幣処理機による貨幣処理方法であって、
前記収納部に収納された貨幣について、前記収納部から前記搬送部に繰り出して当該搬送部により搬送される間に前記識別部により識別および計数を行う精査処理を行う工程と、
前記精査処理が行われている間に当該精査処理が停止されると、前記精査処理を途中から再開することができるよう、前記精査処理が行われている間における前記識別部による貨幣の識別結果を制御部により維持させる工程と、
を備えた、貨幣処理方法。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、精査処理が停止された後に再開する際に当該精査処理を続きからやり直すことができる貨幣処理機および貨幣処理方法を提供することを目的とする。
【手続補正４】
【補正対象書類名】明細書
【補正対象項目名】０００６
【補正方法】変更
【補正の内容】
【０００６】
本発明の貨幣処理機は、機体内で貨幣を搬送する搬送部と、前記搬送部に接続され、当該搬送部から送られた貨幣を収納するとともに収納された貨幣を前記搬送部に繰り出し可能な収納部と、前記搬送部に設けられ、当該搬送部により搬送される貨幣の識別を行う識別部と、前記収納部に収納された貨幣について、前記収納部から前記搬送部に繰り出して当該搬送部により搬送される間に前記識別部により識別および計数を行う精査処理を行う制御部と、を備え、前記制御部は、前記精査処理が行われている間に当該精査処理が停止されると、前記精査処理を途中から再開することができるよう、前記精査処理が行われている間における前記識別部による貨幣の識別結果を維持することを特徴とする。
【手続補正５】
【補正対象書類名】明細書
【補正対象項目名】０００７
【補正方法】変更
【補正の内容】
【０００７】
このような貨幣処理機によれば、精査処理が行われている間に当該精査処理が停止されると、精査処理を途中から再開することができるよう、精査処理が行われていたときの識別部による貨幣の識別結果が維持されるため、精査処理が停止された後に再開する際に当該精査処理を続きからやり直すことができる。
【手続補正６】
【補正対象書類名】明細書
【補正対象項目名】０００８
【補正方法】変更
【補正の内容】
【０００８】
本発明の貨幣処理機は、前記精査処理の停止指令を外部から受け付ける停止指令受付手段を更に備え、前記精査処理が行われている間に、前記停止指令受付手段により前記精査処理の停止指令が受け付けられると、前記精査処理が停止されるようになっていてもよい。
【手続補正７】
【補正対象書類名】明細書
【補正対象項目名】０００９
【補正方法】変更
【補正の内容】
【０００９】
本発明の貨幣処理機においては、前記制御部は、前記精査処理が中断されている間に貨幣の出金処理が行われる場合には、停止される前の前記精査処理における前記識別部による貨幣の識別結果を破棄するようになっていてもよい。
【手続補正８】
【補正対象書類名】明細書
【補正対象項目名】００１０
【補正方法】変更
【補正の内容】
【００１０】
本発明の貨幣処理機は、前記識別部により正常な貨幣ではないと識別された貨幣が前記搬送部から送られるリジェクト部を更に備えていてもよい。
【手続補正９】
【補正対象書類名】明細書
【補正対象項目名】００１１
【補正方法】変更
【補正の内容】
【００１１】
また、前記精査処理が行われる貨幣は紙幣であってもよい。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明の貨幣処理方法は、機体内で貨幣を搬送する搬送部と、前記搬送部に接続され、当該搬送部から送られた貨幣を収納するとともに収納された貨幣を前記搬送部に繰り出し可能な収納部と、前記搬送部に設けられ、当該搬送部により搬送される貨幣の識別を行う識別部とを備えた貨幣処理機による貨幣処理方法であって、前記収納部に収納された貨幣について、前記収納部から前記搬送部に繰り出して当該搬送部により搬送される間に前記識別部により識別および計数を行う精査処理を行う工程と、前記精査処理が行われている間に当該精査処理が停止されると、前記精査処理を途中から再開することができるよう、前記精査処理が行われている間における前記識別部による貨幣の識別結果を制御部により維持させる工程と、を備えたことを特徴とする。
【手続補正１３】
【補正対象書類名】明細書
【補正対象項目名】００１５
【補正方法】変更
【補正の内容】
【００１５】
このような貨幣処理方法によれば、精査処理が行われている間に当該精査処理が停止されると、精査処理を途中から再開することができるよう、精査処理が行われていたときの識別部による貨幣の識別結果が維持されるため、精査処理が停止された後に再開する際に当該精査処理を続きからやり直すことができる。
【手続補正１４】
【補正対象書類名】明細書
【補正対象項目名】００１６
【補正方法】変更
【補正の内容】
【００１６】
本発明の貨幣処理機および貨幣処理方法によれば、精査処理が停止された後に再開する際に当該精査処理を続きからやり直すことができる。